(57)【特許請求の範囲】
【請求項１】
遊技機用の椅子本体と、
この椅子本体に設けられた収納部と、
この収納部を閉鎖した閉鎖位置と当該収納部を開放した開放位置とに位置される着座部と、
この着座部が閉鎖位置に位置された状態で施錠されることにより当該着座部を閉鎖位置にロックすると共に解錠されることによりそのロック状態を解除する施錠手段と、
前記収納部に手荷物が収納されたことを検出する手荷物検出手段と、
警告発生用の警告手段と、
予め設定された所定条件が成立した場合は前記警告手段を動作させる制御手段とを備えたことを特徴とする遊技場用椅子。
【請求項２】
前記制御手段は、前記手荷物検出手段により手荷物が検出されず且つ前記施錠手段が施錠された場合は前記警告手段を動作させることを特徴とする請求項１記載の遊技場用椅子。
【請求項３】
前記着座部に遊技客が着座したことを検出する着座検出手段を設け、
前記制御手段は、前記手荷物検出手段により手荷物の収納が検出され且つ前記施錠手段が解錠された状態で前記着座検出手段により遊技客の着座が検出できない場合は前記警告手段を動作させることを特徴とする請求項１記載の遊技場用椅子。
【請求項４】
前記着座部に遊技客が着座したことを検出する着座検出手段を設け、
前記制御手段は、前記手荷物検出手段により手荷物の収納が検出され且つ前記施錠手段が解錠された状態で前記着座検出手段により遊技客の着座が設定時間以上検出できない場合は前記警告手段を動作させることを特徴とする請求項１記載の遊技場用椅子。
【請求項５】
前記着座部に遊技客が着座したことを検出する着座検出手段と、
前記遊技機が稼動状態であることを検出する稼動状態検出手段とを設け、
前記制御手段は、前記手荷物検出手段により手荷物の収納が検出され且つ前記施錠手段が施錠された状態で前記稼動状態検出手段により前記遊技機の稼動が検出されず且つ前記着座検出手段により遊技客の着座が検出できない場合は前記警告手段を動作させることを特徴とする請求項１記載の遊技場用椅子。
【請求項６】
識別カードに記憶された識別コードを読取るカード読取手段を設け、
前記施錠手段は、外部指令に応じて施錠若しくは解錠するように設けられ、
前記制御手段は、前記手荷物検出手段により前記収納部に手荷物が収納されていることを検出した状態で前記カード読取手段により読取られた前記識別カードの識別コードが予め登録されている登録コードと一致したときは前記施錠手段を施錠すると共に、その施錠状態で前記カード読取手段により読取られた前記識別カードの識別コードが上記識別コードと一致したときは前記施錠手段を解錠することを特徴とする請求項１乃至５の何れかに記載の遊技場用椅子。
【発明の詳細な説明】
【０００１】
【産業上の利用分野】
本発明は、手荷物を収納する収納部を備えた遊技場用椅子に関する。
【０００２】
【従来の技術】
従来より、パチンコホールにおいては、貴重品を収納した手荷物を携帯している遊技客は、盗難防止のために手荷物を膝の上に置いた状態で遊技するようにしている。
また、パチンコホールによっては、ロッカーを設置し、遊技客の希望に応じてロッカー内に手荷物を収納させるようにしている。
【０００３】
【発明が解決しようとする課題】
しかしながら、上記従来例のものでは、手荷物を膝の上に置いた状態で遊技することは極めて煩わしい。
また、ロッカーを利用する場合は、手荷物をロッカーに収納するためにわざわざロッカーまで出向く必要がある上に、手荷物が手元にないので、手荷物のことが気掛かりになり、遊技に集中できない。また、遊技に熱中しすぎると、手荷物を持ち帰ることを忘れてしまうことが往々にある。
【０００４】
この場合、パチンコゲーム機に対応して設置された椅子に収納部を設け、その収納部に手荷物を収納することが考えられるが、収納部を単に設けただけでは、収納部に収納した手荷物を持ち帰ることを忘れてしまうという課題が解決されていない。
【０００５】
本発明は上記事情に鑑みてなされたもので、その目的は、手荷物を収納可能な構成において、収納した手荷物を遊技客が持ち帰ることを忘れてしまうことを防止することができる遊技場用椅子を提供することにある。
【０００６】
【課題を解決するための手段】
本発明の遊技場用椅子は、遊技機用の椅子本体を設け、この椅子本体に収納部を設け、この収納部を閉鎖した閉鎖位置と当該収納部を開放した開放位置とに位置される着座部を設け、この着座部が閉鎖位置に位置された状態で施錠されることにより当該着座部を閉鎖位置にロックすると共に解錠されることによりそのロック状態を解除する施錠手段を設け、前記収納部に手荷物が収納されたことを検出する手荷物検出手段を設け、警告発生用の警告手段を設け、予め設定された所定条件が成立した場合は前記警告手段を動作させる制御手段を設けたものである（請求項１）。
【０００７】
上記構成において、前記制御手段を、前記手荷物検出手段により手荷物が検出されず且つ前記施錠手段が施錠された場合は前記警告手段を動作させるようにしてもよい（請求項２）。
【０００８】
また、前記着座部に遊技客が着座したことを検出する着座検出手段を設けた上で、前記制御手段を、前記手荷物検出手段により手荷物の収納が検出され且つ前記施錠手段が解錠された状態で前記着座検出手段により遊技客の着座が検出できない場合は前記警告手段を動作させるようにしてもよい（請求項３）。
【０００９】
また、前記着座部に遊技客が着座したことを検出する着座検出手段を設けた上で、前記制御手段を、前記手荷物検出手段により手荷物の収納が検出され且つ前記施錠手段が解錠された状態で前記着座検出手段により遊技客の着座が設定時間以上検出できない場合は前記警告手段を動作させるようにしてもよい（請求項４）。
【００１０】
また、前記着座部に遊技客が着座したことを検出する着座検出手段を設けると共に、前記遊技機が稼動状態であることを検出する稼動状態検出手段を設けた上で、前記制御手段を、前記手荷物検出手段により手荷物の収納が検出され且つ前記施錠手段が施錠された状態で前記稼動状態検出手段により前記遊技機の稼動が検出されず且つ前記着座検出手段により遊技客の着座が検出できない場合は前記警告手段を動作させるようにしてもよい（請求項５）。
【００１１】
また、識別カードに記憶された識別コードを読取るカード読取手段を設けた上で、前記施錠手段を、外部指令に応じて施錠若しくは解錠するように設けると共に、前記制御手段を、前記手荷物検出手段により前記収納部に手荷物が収納されていることを検出した状態で前記カード読取手段により読取られた前記識別カードの識別コードが予め登録されている登録コードと一致したときは前記施錠手段を施錠すると共に、その施錠状態で前記カード読取手段により読取られた前記識別カードの識別コードが上記識別コードと一致したときは前記施錠手段を解錠するようにしてもよい（請求項６）。
【００１２】
【作用及び発明の効果】
請求項１記載の遊技場用椅子の場合、遊技客が手荷物を収納部に収納した状態で施錠手段を施錠すると、着座部が閉鎖位置にロックされるので、収納部に収納された手荷物の保安が図られる。
ところが、遊技客によっては所定の保管手続きを実行しないことがあり、手荷物の保管に関して不具合を生じるような事態が生じることがある。
【００１３】
そこで、制御手段は、手荷物の保管に関して不具合を生じるような予め設定された所定条件が成立した場合は警告手段を動作させる。従って、警告手段により遊技客に対して注意が喚起されるので、遊技客は手荷物の保管に関する不具合を解消するようになる。
【００１４】
請求項２記載の遊技場用椅子の場合、遊技客によっては収納部に手荷物を収納することなく施錠手段を施錠することがある。
そこで、制御手段は、手荷物検出手段により手荷物が検出されず且つ施錠手段が施錠された場合は警告手段を動作させる。これにより、遊技客が手荷物を収納部に収納することなく施錠手段を施錠したときは遊技客に対して警告される。従って、遊技客は、注意が喚起されて施錠手段を解錠するようになるので、施錠手段が不意味に施錠されてしまうことを防止することができる。
【００１５】
請求項３記載の遊技場用椅子の場合、遊技客によっては収納部に手荷物を収納したのに施錠部を施錠しないまま椅子を離れるものがいる。
そこで、制御手段は、手荷物検出手段により手荷物の収納が検出され且つ施錠手段が解錠された状態で着座検出手段により遊技客の着座を検出できない場合は警告手段を動作させる。これにより、遊技客が手荷物を収納部に収納した状態で立上がったときは、警告手段により遊技客に対して警告される。従って、立上がった遊技客は、注意が喚起されて収納部から手荷物を取出したり、椅子に着座して遊技を継続したり、施錠手段を施錠するようになるので、手荷物の保安を図ることができる。
【００１６】
請求項４記載の遊技場用椅子の場合、制御手段は、手荷物検出手段により手荷物の収納が検出され且つ施錠手段が解錠された状態で着座検出手段により遊技客の着座が設定時間以上検出できない場合は警告手段を動作させる。これにより、遊技客が手荷物を収納部に収納した状態で設定時間以上立上がったときは、警告手段により遊技客に対して警告される。従って、立上がった遊技客は、注意が喚起されて収納部から手荷物を取出したり、椅子に着座して遊技を継続したり、施錠手段を施錠するようになるので、手荷物の保安を図ることができる。この場合、遊技客が短時間だけ立上がったときは警告は発せられないので、無駄な警告が発せられることを防止することができる。
【００１７】
請求項５記載の遊技場用椅子の場合、遊技客によっては収納部に手荷物を収納して施錠部を施錠した状態で遊技機を変わったり、遊技を終了して帰宅するものがいる。
そこで、制御手段は、手荷物検出手段により手荷物の収納が検出され且つ施錠手段が施錠された状態で稼動検出手段にり遊技機の稼動が検出されず且つ着座検出手段により遊技客の着座が検出されなかった場合は警告手段を動作させる。これにより、遊技客が手荷物を収納部に収納した状態で遊技を終了して立上がったときは遊技客に対して警告される。従って、遊技客は、注意が喚起されて施錠手段を解錠して収納部から手荷物を取出したり、遊技の継続のために着座したり、立上がったまま遊技機を稼動するようなるので、手荷物の保安を図ることができる。
【００１８】
請求項６記載の遊技場用椅子の場合、制御手段は、手荷物検出手段により収納部に手荷物が収納されていることを検出した状態でカード読取手段により読取られた識別カードの識別コードが予め登録されている登録コードと一致したときは施錠手段を施錠する。従って、簡単な操作で施錠手段を施錠することができると共に、手荷物が収納部に収納されていない状態で施錠手段を施錠してしまうことを防止することができる。
【００１９】
また、制御手段は、施錠手段の施錠状態でカード読取手段により読取られた識別カードの識別コードが施錠時の識別コードと一致したときは施錠手段を解錠する。従って、簡単な操作で解錠することができると共に、他の識別カードにより施錠手段が解錠されてしまうことを防止することができる。
【００２０】
【実施例】
以下、本発明をパチンコホールに設置された椅子に適用した第１実施例を図１乃至図４を参照して説明する。
図２はパチンコゲーム機の側面を示している。この図２において、島には遊技機としての複数のパチンコゲーム機１が設置されている。このパチンコゲーム機１には玉皿２が設けられており、操作ハンドル３に対する操作に応じて玉皿２に貯留されているパチンコ玉が盤面に発射される。ここで、玉皿２には稼動状態検出手段としての玉皿センサ４が設けられており、玉皿２にパチンコ玉が貯留された状態で玉皿センサ４がオンする。
一方、パチンコゲーム機１の上方に警告手段としての呼出ランプ５が設けられている。
【００２１】
さて、パチンコゲーム機１に対応して椅子が設置されており、以下、この椅子について説明する。
即ち、脚部６により椅子本体７が支持されている。この椅子本体７は上面が開口された容器状をなしており、内部に収納部８が設けられている。また、椅子本体７には着座部９が回動自在に設けられており、図３に示すように着座部９を上方に回動した状態で収納部８を開放することができる。
【００２２】
また、椅子本体７には施錠部１０が設けられており、着座部９により収納部８を閉鎖した位置で施錠部１０を施錠することにより収納部８を閉鎖位置にロックすることができる。
ここで、着座部９には着座検出手段としての着座センサ１１が設けられており、遊技客が着座部９に着座した状態で遊技客の重量により着座センサ１１がオンする。また、収納部８の底面には手荷物検出手段としての手荷物センサ１２が設けられており、収納部８に手荷物が収納された状態で手荷物の重量により手荷物センサ１２がオンする。
【００２３】
椅子本体７において収納部８に対応する位置には制御手段としての制御部１３が設けられていると共に、背もたれ部１４には警告手段としてのスピーカ１５が設けられている。
【００２４】
図１は全体の電気的構成を示している。この図１において、制御部１３は、椅子本体７に設けられた着座センサ１１及び手荷物センサ１２の検出状態並びにパチンコゲーム機１に設けられた玉皿センサ４の検出状態を判断すると共に、施錠部１０の状態を監視するようになっており、後述するようにアンプを通じてスピーカを駆動すると共に呼出ランプを点灯する。
【００２５】
次に上記構成の作用について説明する。
図４は、制御部１３の動作を示している。この図４において、制御部１３は、通常においては手荷物センサ１２がオンするか（ステップＳ１）、施錠部１０が施錠されているかを監視している（ステップＳ１０）。
【００２６】
ここで、遊技客のなかには、収納部８に手荷物を収納することなく誤って施錠部１０を施錠することがある。
すると、制御部１３は、施錠部１０が施錠されたときは（ステップＳ１０）、警告出力処理Ａを実行してから施錠部１０が解錠されるまで待機する（ステップＳ１１，Ｓ１２）。
【００２７】
この警告出力処理Ａでは、制御部１３は、スピーカ１５から警告音（連続音）を発生して遊技客の注意を喚起する。
従って、収納部８に手荷物を収納することなく施錠部１０を施錠した遊技客は、注意を促されて施錠部１０を解錠するようになるので、制御部１３は、施錠部１０が解錠されたところでリセットを実行することにより警告出力処理Ａの実行を終了する（ステップＳ１３）。
【００２８】
さて、手荷物を携帯している遊技客がパチンコゲーム機１で遊技するために手荷物を保管する場合は、着座部９を開放して手荷物を収納部８に収納する。これにより、手荷物の重量により手荷物センサ１２がオンする。
すると、制御部１３は、手荷物センサ１２がオンしたときは（ステップＳ１）、施錠部１０が施錠されるか（ステップＳ２）、着座センサ１１がオフするのを監視するようになる（ステップＳ１４）。
【００２９】
このとき、遊技客が手荷物を収納部８に収納した状態で施錠部１０を施錠したときは、制御部１３は、玉皿センサ４及び着座センサ１１が両方ともオフするかを監視するようになる（ステップＳ３，Ｓ４）。
【００３０】
この場合、手荷物を収納部８に収納した遊技客は、着座部９に着座した状態でパチンコゲーム機１の玉皿２にパチンコ玉を投入してパチンコゲーム機１で遊技するのが通常である。従って、制御部１３は、施錠部１０が施錠されている限り玉皿センサ４及び着座センサ１１が両方ともオフするかの監視を継続する（ステップＳ２，Ｓ３，Ｓ４）。
【００３１】
さて、遊技客がパチンコゲーム機１での遊技が終了したときは、玉皿２に貯留されているパチンコ玉が存在しなくなって玉皿センサ４がオフする。そして、遊技客が立上がると、着座センサ１１がオフする。これにより、制御部１３は、玉皿センサ４及び着座センサ１１の両方がオフしたときは、施錠部１０が施錠されていることにより収納部８に収納されている手荷物は安全であるものの、遊技客が手荷物を持ち帰ることを忘れてしまう可能性があると判断して警告出力処理Ｂを実行してから（ステップＳ５）、手荷物センサ１２がオフするか（ステップＳ６）、着座センサ１１がオフするか（ステップＳ７）、或いは玉皿センサ４がオンするかを監視するようなる（ステップＳ８）。
【００３２】
この警告出力処理Ｂでは、制御部１３は、スピーカ１５から警告音（連続音）を発生すると共に、呼出ランプ５を点灯して遊技客の注意を喚起する。
従って、立上がった遊技客のうち遊技を終了した遊技客、或いはパチンコゲーム機１を交替して遊技を継続する遊技客は、注意を促せられて収納部８から手荷物を取出すようになるので、制御部１３は、リセットを実行することにより警告出力処理Ｂの実行を終了する（ステップＳ９）。
【００３３】
また、立上がった遊技客のうち同一のパチンコゲーム機１での遊技を継続しようとする遊技客は、注意を促せられて着座部９に再び着座したり、パチンコゲーム機１の玉皿２にパチンコ玉を投入するようになるので、この場合も、制御部１３はリセットを実行することにより警告出力処理Ｂの実行を終了する。
【００３４】
一方、遊技客が手荷物を収納部８に収納してから施錠部１０を施錠することなく立ったままのとき、或いは手荷物を収納部８に収納して着座部９に着座した遊技客が施錠部１０を施錠しないままで立上がったときは、制御部１３は、斯様な条件が成立したところで（ステップＳ１，Ｓ２，Ｓ１４）、タイマをスタートし（ステップＳ１５）、タイムアップするまでに手荷物センサ１２がオフするか（ステップＳ１８）、着座センサ１１がオンするか（ステップＳ１９）、施錠部１０が施錠されるかを監視するようになる（ステップＳ２０）。
【００３５】
このとき、タイマがタイムアップするまでに遊技客が手荷物を収納部８から取出したり、着座部９に着座したり、施錠部１０を施錠したときは、制御部１３は、手荷物の保安は図られたとして警告を行うことはない。
【００３６】
一方、立上がった遊技客が、タイマがタイムアップするまでに収納部８から手荷物を取出さなかったり、着座部９に着座しなかったり、施錠部１０を施錠しなかったときは、制御部１３は、タイムアップしたところで（ステップＳ１６）、収納部８に収納されている手荷物は盗難の虞があると判断して警告出力処理Ｃを実行してから、手荷物センサ１２がオフするか（ステップＳ１８）、着座センサ１１がオンするか（ステップＳ１９）、或いは施錠部１０が施錠されるかを監視するようになる（ステップＳ２０）。
【００３７】
この警告出力処理Ｃでは、制御部１３は、スピーカ１５から警告音（連続音）を発生すると共に、呼出ランプ５を点滅して遊技客の注意を喚起する。
従って、立上がった遊技客のうち遊技を終了した遊技客、或いはパチンコゲーム機１を交替して遊技を継続する遊技客は、注意を促せられて収納部８に収納されている手荷物を取出すようになるので、制御部１３は、リセットを実行して警告出力処理Ｃの実行を終了する（ステップＳ２１）。
【００３８】
また、立上がった遊技客のうち同一のパチンコゲーム機１での遊技を継続しようとする遊技客は、注意を促せられて着座部９に再び着座したり、施錠部１０を施錠するようになるので、この場合も、制御部１３は警告出力処理Ｃの実行を終了することにより警告出力処理Ｃの実行を終了する。
【００３９】
この場合、上述のような警告は遊技客が立上がってから設定時間以上経過したときに行われるため、遊技客が単に短時間だけ立上がったときは警告されず、遊技客が警告による不快感を感ずることはない。また、警告が行われたときは遊技客が椅子から離れている可能性が高いが、警告により他の遊技客或いは担当係員の注意が喚起されるので、収納部８に収納された手荷物の保安を図ることができる。
尚、タイマの設定時間を零に設定した場合は、遊技客が立上がったときに警告が行われるので、遊技客の注意を直ちに喚起することができる。
【００４０】
上記構成のものによれば、パチンコゲーム機１用の椅子に手荷物収納用の収納部８を設けると共に、その収納部８に手荷物が収納されたことを検出する手荷物センサ１２、着座部９に遊技客が着座したことを検出する着座センサ１１、パチンコゲーム機１の玉皿２にパチンコ玉が貯留されていることを検出する玉皿センサ４、並びに施錠部１０の状態に基づいて手荷物の保安について不具合が生じるような状態となったときは、スピーカ１５から警告音を発すると共に呼出ランプ５を点灯若しくは点滅して遊技客の注意を喚起するようにしたので、椅子に単に収納部に設けただけの構成に比較して、手荷物の保安を図ることができると共に、手荷物を収納する際の不具合の発生を確実に防止することができる。
【００４１】
図５乃至図７は本発明の第２実施例を示しており、第１実施例と同一部分には同一符号を付して説明を省略し、異なる部分について説明する。
図５は椅子の構成を概略的に示している。この図５において、椅子本体７にカード読取手段としてのカードリーダ１７を設け、そのカードリーダ１７により識別カードとしての会員カードに記憶された識別コードとしての会員コードを読取るようになっている。また、施錠部１８は、外部指令に応じて施錠状態と解錠状態とに交互に切替わり、施錠状態で着座部９を閉鎖位置にロックするようになっている。
【００４２】
図６は全体の電気的構成を示している。この図６において、制御部１３は、カードリーダ１７を通じて会員カードの会員コードを読取ったときは、その会員コードを集中管理装置１９に出力する。この場合、集中管理装置１９は予め登録された会員コードを記憶しており、制御部１３から与えられた会員コードが記憶している登録コードと一致するか否かを判定し、その判定結果を制御部１３に返送する。
【００４３】
そして、制御部１３は、集中管理装置１９からの登録コードの判定結果、手荷物センサ１２、着座センサ１１、玉皿センサ４の検出結果、並びに施錠部１８の状態に基づいてスピーカ１５を駆動すると共に呼出ランプ５を点灯する。
【００４４】
図７は制御部１３の動作を示している。この図７において、制御部１３は、収納部８に手荷物が収納されることにより手荷物センサ１２がオンしたときは（ステップＳ１）、カードリーダ１７に会員カードが読込まれるか（ステップＳ２）、着座センサ１１がオンするかを監視するようになる（ステップＳ２６）。
【００４５】
このとき、遊技客が手荷物を収納部８に収納した状態でカードリーダ１７に会員カードが読込まれたときは、制御部１３は、照合処理を実行する（ステップＳ３）。
【００４６】
この照合処理では、制御部１３は、カードリーダ１７が読取った会員カードの会員コードを集中管理装置１９に送出する。すると、集中管理装置１９は、制御部１３から入力した会員コードが予め登録されたものであるか否かを判定し、その判定結果を制御部１３に返信する。
【００４７】
このとき、制御部１３は、集中管理装置１９が会員カードが真であると判断したときは施錠部１８を施錠し（ステップＳ４，Ｓ５）、会員カードで偽であると判断したときはエラー出力を集中管理装置１９に出力する（ステップＳ１２）。従って、遊技客は、会員カードが真の場合には、会員カードをカードリーダ１７に読込ませるだけで施錠部１８を施錠することができる。
【００４８】
そして、上述のようにして施錠部１８を施錠した制御部１３は、カードリーダ１７に会員カードが読込まれるか（ステップＳ６）、玉皿センサ４及び着座センサ１１がオフするかを監視するようになる（ステップＳ１３，Ｓ１４）。
【００４９】
さて、遊技が終了した遊技客が手荷物を収納部８から取出すときは、会員カードをカードリーダ１７に読込ませる。すると、制御部１３は、カードリーダ１７が読込んだ会員コードを集中管理装置１９により照合し（ステップＳ７）、その会員カードが真であったときは（ステップＳ８）、会員コードが施錠部１８を施錠したときの会員コードと一致していたときは（ステップＳ９）、施錠部１８を解錠し（ステップＳ１１）、同一会員でなかったときはエラー出力を集中管理装置１９に出力する（ステップＳ２５）。従って、会員カードが施錠部１８を施錠したときのものと同一であるときは、会員カードをカードリーダ１７に読込ませるだけで施錠部１８を解錠することができる。
【００５０】
一方、会員カードをカードリーダ１７に読込ませることにより施錠部１８を施錠した遊技客が、施錠部１８を解錠することなくパチンコゲーム機１での遊技を終了して立上がったときは玉皿センサ４及び着座センサ１１の両方がオフする。これにより、制御部１３は、玉皿センサ４及び着座センサ１１の両方がオフしたところで（ステップＳ１３，Ｓ１４）、警告出力処理Ｂを実行してから（ステップＳ１５）、カードリーダ１７に会員カードを読込まれるか（ステップＳ１６）、着座センサ１１若しくは玉皿センサ４の何れかがオンするかを監視するようになる（ステップＳ１７，Ｓ１８）。
【００５１】
このとき、立上がった遊技客のうち遊技を終了した遊技客、或いはパチンコゲーム機１を交替して遊技を継続する遊技客は、注意を促されて収納部８から手荷物を取出すためにカードリーダ１７に会員カードを読込ませるようになるので、制御部１３は、カードリーダ１７に会員が読込まれたときは（ステップＳ１６）、照合処理を実行し（ステップＳ２０）、カードリーダ１７に読込まれた会員カードが施錠部１８を施錠したときと同一であったときは（ステップＳ２１，Ｓ２２）、リセットを実行することにより警告出力処理Ｂを終了してから（ステップＳ２３）、施錠部１８を解錠する（ステップＳ１１）。従って、施錠部１８が解錠されるので、遊技客は、手荷物を収納部８から取出すことができる。
【００５２】
また、立上がった遊技客のうち同一のパチンコゲーム機１で遊技する遊技客は、注意を促されて着座部９に着座したり、玉皿２にパチンコ玉を投入するようになるので、制御部１３は、この場合もリセットを実行するこにとより警告出力処理Ｂの実行を終了する。
【００５３】
一方、手荷物を収納部８に収納した遊技客がカードリーダ１７に会員カードを読込ませた後に着座部９に着座しなかったり、着座部９に一旦着座した遊技客が立上がったときは、制御部１３は、斯様な条件が成立したところで（ステップＳ１，Ｓ２，Ｓ２６）、タイマをスタートし（ステップＳ２７）、そのタイマが設定時間となるまでに（ステップＳ２８）、収納部８に収納された手荷物が取り出されず且つ遊技客が着座部９に着座せず（ステップＳ３０，Ｓ３１）、さらにカードリーダ１７に会員カードが読込まれなかったときは（ステップＳ３２）、警告出力処理Ｃを実行する（ステップＳ２９）。
【００５４】
このとき、警告により注意を促された遊技客がカードリーダ１７に会員カードを読込ませると、制御部１３は、リセットを実行することにより警告出力処理Ｃの実行を終了してから（ステップＳ３３）、ステップＳ３以降を実行する。
【００５５】
この第２実施例のものによれば、カードリーダ１７に読込ませた会員カードが真のときに施錠部１８を施錠すると共に、施錠部１８の施錠状態でカードリーダ１７に読込まれた会員コードが同一の会員カードであったときのみ施錠部１８を解錠するようにしたので、遊技客は会員カードをカードリーダ１７に読込ませるだけで自動的に施錠部１８を施錠，解錠することができる。従って、第１実施例のものに比べて、収納部８に手荷物を収納して施錠したり、解錠して手荷物を取出す時間を短縮することができると共に、収納部８に収納された手荷物の保安性を高めることができる。
【００５６】
本発明は、上記実施例に限定されるものではなく、次のように変形または拡張できる。
遊技客に警告を発する手段としては、スピーカ１５から遊技客に注意を促すメッセージを発するようにしてもよい。
手荷物を検出する手段としては、光センサ、超音波センサを用いるようにしてもよい。
パチンコゲーム機１の稼動状態を検出する手段としては、パチンコゲーム機１からのアウト玉の発生、操作ハンドル３に対する操作を検出するようにしてもよい。
【図面の簡単な説明】
【図１】本発明の第１実施例における全体の電気的構成を示すブロック図
【図２】パチンコゲーム機及び椅子の側面図
【図３】収納部の開放状態で示す椅子の側面図
【図４】制御部の動作を示すフローチャート
【図５】本発明の第２実施例における椅子の側面図
【図６】図１相当図
【図７】図４相当図
【符号の説明】
１はパチンコゲーム機（遊技機）、５は呼出ランプ（警告手段）、７は椅子本体、８は収納部、９は着座部、１０は施錠部、１１は着座センサ（着座検出手段）、１２は手荷物センサ（手荷物検出手段）、１３は制御部（制御手段）、１５はスピーカ（警告手段）、１７はカードリーダ（カード読取手段）、１８は施錠部（施錠手段）、１９は集中管理装置である。
【図１】
0003688329.tif 000002
【図２】
0003688329.tif 000003
【図３】
0003688329.tif 000004
【図４】
0003688329.tif 000005
【図５】
0003688329.tif 000006
【図６】
0003688329.tif 000007
【図７】
0003688329.tif 000008